(57)【要約】【課題】ＩＤカードのＩＣメモリに記録されたデータを自動的に検査可能とする。【解決手段】ＩＣメモリを内蔵したＩＤカードを発行するカード発行装置３は、通信ネットワークＮを介して、ＩＤカードの保有者の情報を管理するホストコンピュータ１に接続され、発行済みの各ＩＤカードのＩＣメモリに記録されたデータを記憶部３４に記憶し、ＩＣ Ｒ／Ｗ部３５によりＩＤカードのＩＣメモリに記録されたデータを読み取り、その読み取られたデータに対応するデータを、記憶部３４又はホストコンピュータ１から取得し、その取得されたデータと、ＩＣ Ｒ／Ｗ部３５で読み取られたデータを比較し、比較結果を表示部３３に表示する。【選択図】図１
2006185245.tif 000002
【特許請求の範囲】
【請求項１】
ＩＣメモリを内蔵したＩＤカードを発行するカード発行装置において、
通信ネットワークを介して、ＩＤカードの保有者の情報を管理するホストコンピュータに接続され、
発行済みの各ＩＤカードのＩＣメモリに記録されたデータを記憶する記憶手段と、
ＩＤカードのＩＣメモリに記録されたデータを読み取る読取手段と、
前記読取手段により得られたデータに対応するデータを、前記記憶手段又は前記ホストコンピュータから取得する取得手段と、
前記取得手段により取得されたデータと、前記読み取られたデータを比較する比較手段と、
前記比較手段による比較結果を表示する表示手段と、
を備えることを特徴とするカード発行装置。
【請求項２】
前記記憶手段から、前記読取手段により得られたデータに対応するデータを検索する検索手段を備え、
前記検索手段によるデータ検索によって、前記記憶手段に前記読み取られたデータに対応するデータがなかった場合、前記取得手段は、前記ホストコンピュータから、当該読み取られたデータに対応するデータを取得することを特徴とする請求項１に記載のカード発行装置。
【請求項３】
前記比較手段によるデータの比較によって、前記記憶手段又は前記ホストコンピュータから取得されたデータと前記読み取られたデータが一致しなかった場合、前記表示手段は、ＩＤカードの再発行の有無を指定する指定画面を表示することを特徴とする請求項１又は２に記載のカード発行装置。
【請求項４】
前記表示手段による指定画面の表示によってＩＤカードの再発行が指定された場合、前記記憶手段又は前記ホストコンピュータから取得されたデータに基づいてＩＤカードを発行することを特徴とする請求項３に記載のカード発行装置。
【請求項５】
ＩＣメモリを内蔵したＩＤカードを発行するカード発行装置と、当該カード発行装置で発行されたＩＤカードのＩＣメモリに記録されたデータを処理するデータ処理装置と、ＩＤカードの保有者の情報を管理するホストコンピュータを備えるカード発行システムであって、
前記データ処理装置は、
発行済みの各ＩＤカードのＩＣメモリに記録されたデータを記憶する記憶手段と、
ＩＤカードのＩＣメモリに記録されたデータを読み取る読取手段と、
前記読取手段により得られたデータに対応するデータを、前記記憶手段又は前記ホストコンピュータから取得する取得手段と、
前記取得手段により取得されたデータと、前記読み取られたデータを比較する比較手段と、
前記比較手段による比較結果を表示する表示手段と、
を備えることを特徴とするカード発行システム。
【請求項６】
前記データ処理装置は、
前記記憶手段から、前記読取手段により得られたデータに対応するデータを検索する検索手段を備え、
前記検索手段によるデータ検索によって、前記記憶手段に前記読み取られたデータに対応するデータがなかった場合、前記取得手段は、前記ホストコンピュータから、当該読み取られたデータに対応するデータを取得することを特徴とする請求項５に記載のカード発行システム。
【請求項７】
前記比較手段によるデータの比較によって、前記記憶手段又は前記ホストコンピュータから取得されたデータと前記読み取られたデータが一致しなかった場合、前記表示手段は、ＩＤカードの再発行の有無を指定する指定画面を表示することを特徴とする請求項５又は６に記載のカード発行システム。
【請求項８】
前記データ処理装置の前記表示手段による指定画面の表示によってＩＤカードの再発行が指定された場合、前記カード発行装置は、前記データ処理装置の前記記憶手段又は前記ホストコンピュータから取得されたデータに基づいてＩＤカードを発行することを特徴とする請求項７に記載のカード発行システム。
【請求項９】
ＩＣメモリが内蔵されたＩＤカードを、カード発行装置を用いて発行するカード発行方法において、
前記カード発行装置は、
発行済みの各ＩＤカードのＩＣメモリに記録されたデータを記憶手段に記憶し、
ＩＤカードのＩＣメモリに記録されたデータを読み取る読取工程と、
前記読取工程において得られたデータに対応するデータを、前記記憶手段又はＩＤカードの保有者の情報を管理するホストコンピュータから取得する取得工程と、
前記取得工程において取得されたデータと、前記読み取られたデータを比較する比較工程と、
前記比較工程における比較結果を表示する表示工程と、
を含むことを特徴とするカード発行方法。
【請求項１０】
前記カード発行装置は、前記記憶手段から、前記読取工程において得られたデータに対応するデータを検索する検索工程を含み、
前記検索工程におけるデータ検索によって、前記記憶手段に前記読み取られたデータに対応するデータがなかった場合、前記取得工程では、前記ホストコンピュータから、当該読み取られたデータに対応するデータが取得されることを特徴とする請求項９に記載のカード発行方法。
【請求項１１】
前記カード発行装置は、前記比較工程におけるデータの比較によって、前記記憶手段又は前記ホストコンピュータから取得されたデータと前記読み取られたデータが一致しなかった場合、ＩＤカードの再発行の有無を指定する指定画面を表示する工程を含むことを特徴とする請求項９又は１０に記載のカード発行方法。
【請求項１２】
前記カード発行装置は、前記指定画面の表示によってＩＤカードの再発行が指定された場合、前記記憶手段又は前記ホストコンピュータから取得されたデータに基づいてＩＤカードを発行することを特徴とする請求項１１に記載のカード発行方法。
【請求項１３】
ＩＤカードを発行するカード発行装置と、当該カード発行装置で発行されたＩＤカードのＩＣメモリに記録されたデータを処理するデータ処理装置と、ＩＤカードの保有者の情報を管理するホストコンピュータを用いて、ＩＣメモリを内蔵したＩＤカードを発行するカード発行方法であって、
前記データ処理装置は、
発行済みの各ＩＤカードのＩＣメモリに記録されたデータを記憶手段に記憶し、
ＩＤカードのＩＣメモリに記録されたデータを読み取る読取工程と、
前記読取工程において得られたデータに対応するデータを、前記記憶手段又は前記ホストコンピュータから取得する取得工程と、
前記取得工程において取得されたデータと、前記読み取られたデータを比較する比較工程と、
前記比較工程における比較結果を表示する表示工程と、
を含むことを特徴とするカード発行方法。
【請求項１４】
前記データ処理装置は、前記記憶手段から、前記読取工程において得られたデータに対応するデータを検索する検索工程を含み、
前記検索工程におけるデータ検索によって、前記記憶手段に前記読み取られたデータに対応するデータがなかった場合、前記取得工程では、前記ホストコンピュータから、当該読み取られたデータに対応するデータが取得されることを特徴とする請求項１３に記載のカード発行方法。
【請求項１５】
前記データ処理装置は、前記比較工程によるデータの比較によって、前記記憶手段又は前記ホストコンピュータから取得されたデータと前記読み取られたデータが一致しなかった場合、ＩＤカードの再発行の有無を指定する指定画面を表示する工程を含むことを特徴とする請求項１３又は１４に記載のカード発行方法。
【請求項１６】
前記指定画面の表示によってＩＤカードの再発行が指定された場合、前記カード発行装置は、前記データ処理装置の前記記憶手段又は前記ホストコンピュータから取得されたデータに基づいてＩＤカードを発行することを特徴とする請求項１５に記載のカード発行方法。
【発明の詳細な説明】
【技術分野】
【０００１】
本発明は、ＩＤカードを発行するカード発行装置、カード発行システム及びカード発行方法に関する。
【背景技術】
【０００２】
情報技術の利用が急速に進展する昨今、キャッシュカード、クレジットカード、各種身分証、各種資格証等の各種認証具として、ＩＣ（Integrated Circuit）メモリを具備したＩＤ（IDentification）カードが普及している。このようなＩＣメモリが内蔵されたＩＤカードを作成する場合、ＩＤカード発行装置により、カード保有者のＩＤ番号、氏名等が、紙やプラスチック製カードの表面に直接印字されるとともに、ＩＤカードに内蔵されたＩＣメモリに、カード保有者の個人情報等が記録される（例えば、特許文献１参照。）。
【０００３】
ところで、ＩＤカード発行装置でのＩＤカード発行時にエラーが発生した場合、搬送中のＩＤカードのＩＣメモリに正常にデータが書き込まれているか否かを確認することがある。このようなエラー発生時、従来は、ＩＣメモリからデータを読み取られたデータと、ＩＤカードの申請書の記載内容と、ＩＤカードの表面に印字された内容が、人間（例えば、ＩＤカード発行装置のオペレータ）によって見比べられていた。
【特許文献１】特開２０００−１７７２８３号公報
【発明の開示】
【発明が解決しようとする課題】
【０００４】
しかしながら、上述のように、ＩＤカードの発行時にエラーが発生した場合、ＩＣメモリに正常にデータが書き込まれたか否かが、人間の目視によって判断されていたため、当該データを正確に検査できないという問題があった。
【０００５】
本発明の課題は、ＩＤカードのＩＣメモリに記録されたデータを自動的に検査可能にすることである。
【課題を解決するための手段】
【０００６】
上記課題を解決するため、請求項１に記載の発明は、ＩＣメモリを内蔵したＩＤカードを発行するカード発行装置において、
通信ネットワークを介して、ＩＤカードの保有者の情報を管理するホストコンピュータに接続され、
発行済みの各ＩＤカードのＩＣメモリに記録されたデータを記憶する記憶手段と、
ＩＤカードのＩＣメモリに記録されたデータを読み取る読取手段と、
前記読取手段により得られたデータに対応するデータを、前記記憶手段又は前記ホストコンピュータから取得する取得手段と、
前記取得手段により取得されたデータと、前記読み取られたデータを比較する比較手段と、
前記比較手段による比較結果を表示する表示手段と、
を備えることを特徴としている。
【０００７】
請求項２に記載の発明は、請求項１に記載のカード発行装置において、前記記憶手段から、前記読取手段により得られたデータに対応するデータを検索する検索手段を備え、
前記検索手段によるデータ検索によって、前記記憶手段に前記読み取られたデータに対応するデータがなかった場合、前記取得手段は、前記ホストコンピュータから、当該読み取られたデータに対応するデータを取得することを特徴としている。
【０００８】
請求項３に記載の発明は、請求項１又は２に記載のカード発行装置において、前記比較手段によるデータの比較によって、前記記憶手段又は前記ホストコンピュータから取得されたデータと前記読み取られたデータが一致しなかった場合、前記表示手段は、ＩＤカードの再発行の有無を指定する指定画面を表示することを特徴としている。
【０００９】
請求項４に記載の発明は、請求項３に記載のカード発行装置において、前記表示手段による指定画面の表示によってＩＤカードの再発行が指定された場合、前記記憶手段又は前記ホストコンピュータから取得されたデータに基づいてＩＤカードを発行することを特徴としている。
【００１０】
請求項５に記載の発明は、ＩＣメモリを内蔵したＩＤカードを発行するカード発行装置と、当該カード発行装置で発行されたＩＤカードのＩＣメモリに記録されたデータを処理するデータ処理装置と、ＩＤカードの保有者の情報を管理するホストコンピュータを備えるカード発行システムであって、
前記データ処理装置は、
発行済みの各ＩＤカードのＩＣメモリに記録されたデータを記憶する記憶手段と、
ＩＤカードのＩＣメモリに記録されたデータを読み取る読取手段と、
前記読取手段により得られたデータに対応するデータを、前記記憶手段又は前記ホストコンピュータから取得する取得手段と、
前記取得手段により取得されたデータと、前記読み取られたデータを比較する比較手段と、
前記比較手段による比較結果を表示する表示手段と、を備えることを特徴としている。
【００１１】
請求項６に記載の発明は、請求項５に記載のカード発行システムにおいて、前記データ処理装置は、
前記記憶手段から、前記読取手段により得られたデータに対応するデータを検索する検索手段を備え、
前記検索手段によるデータ検索によって、前記記憶手段に前記読み取られたデータに対応するデータがなかった場合、前記取得手段は、前記ホストコンピュータから、当該読み取られたデータに対応するデータを取得することを特徴としている。
【００１２】
請求項７に記載の発明は、請求項５又は６に記載のカード発行システムにおいて、前記比較手段によるデータの比較によって、前記記憶手段又は前記ホストコンピュータから取得されたデータと前記読み取られたデータが一致しなかった場合、前記表示手段は、ＩＤカードの再発行の有無を指定する指定画面を表示することを特徴としている。
【００１３】
請求項８に記載の発明は、請求項７に記載のカード発行システムにおいて、前記データ処理装置の前記表示手段による指定画面の表示によってＩＤカードの再発行が指定された場合、前記カード発行装置は、前記データ処理装置の前記記憶手段又は前記ホストコンピュータから取得されたデータに基づいてＩＤカードを発行することを特徴としている。
【００１４】
請求項９に記載の発明は、発行済みの各ＩＤカードのＩＣメモリに記録されたデータを記憶手段に記憶し、
ＩＤカードのＩＣメモリに記録されたデータを読み取る読取工程と、
前記読取工程において得られたデータに対応するデータを、前記記憶手段又はＩＤカードの保有者の情報を管理するホストコンピュータから取得する取得工程と、
前記取得工程において取得されたデータと、前記読み取られたデータを比較する比較工程と、
前記比較工程における比較結果を表示する表示工程と、を含むことを特徴としている。
【００１５】
請求項１０に記載の発明は、請求項９に記載のカード発行方法において、前記記憶手段から、前記読取工程において得られたデータに対応するデータを検索する検索工程を含み、前記検索工程におけるデータ検索によって、前記記憶手段に前記読み取られたデータに対応するデータがなかった場合、前記取得工程では、前記ホストコンピュータから、当該読み取られたデータに対応するデータが取得されることを特徴としている。
【００１６】
請求項１１に記載の発明は、請求項９又は１０に記載のカード発行方法において、前記比較工程におけるデータの比較によって、前記記憶手段又は前記ホストコンピュータから取得されたデータと前記読み取られたデータが一致しなかった場合、ＩＤカードの再発行の有無を指定する指定画面を表示する工程を含むことを特徴としている。
【００１７】
請求項１２に記載の発明は、請求項１１に記載のカード発行方法において、前記指定画面の表示によってＩＤカードの再発行が指定された場合、前記記憶手段又は前記ホストコンピュータから取得されたデータに基づいてＩＤカードを発行することを特徴としている。
【００１８】
請求項１３に記載の発明は、ＩＤカードを発行するカード発行装置と、当該カード発行装置で発行されたＩＤカードのＩＣメモリに記録されたデータを処理するデータ処理装置と、ＩＤカードの保有者の情報を管理するホストコンピュータを用いて、ＩＣメモリを内蔵したＩＤカードを発行するカード発行方法であって、
前記データ処理装置は、
発行済みの各ＩＤカードのＩＣメモリに記録されたデータを記憶手段に記憶し、
ＩＤカードのＩＣメモリに記録されたデータを読み取る読取工程と、
前記読取工程において得られたデータに対応するデータを、前記記憶手段又は前記ホストコンピュータから取得する取得工程と、
前記取得工程において取得されたデータと、前記読み取られたデータを比較する比較工程と、
前記比較工程における比較結果を表示する表示工程と、を含むことを特徴としている。
【００１９】
請求項１４に記載の発明は、請求項１３に記載のカード発行方法において、前記データ処理装置は、前記記憶手段から、前記読取工程において得られたデータに対応するデータを検索する検索工程を含み、
前記検索工程におけるデータ検索によって、前記記憶手段に前記読み取られたデータに対応するデータがなかった場合、前記取得工程では、前記ホストコンピュータから、当該読み取られたデータに対応するデータが取得されることを特徴としている。
【００２０】
請求項１５に記載の発明は、請求項１３又は１４に記載のカード発行方法において、前記データ処理装置は、前記比較工程によるデータの比較によって、前記記憶手段又は前記ホストコンピュータから取得されたデータと前記読み取られたデータが一致しなかった場合、ＩＤカードの再発行の有無を指定する指定画面を表示する工程を含むことを特徴としている。
【００２１】
請求項１６に記載の発明は、請求項１５に記載のカード発行方法において、前記指定画面の表示によってＩＤカードの再発行が指定された場合、前記カード発行装置は、前記データ処理装置の前記記憶手段又は前記ホストコンピュータから取得されたデータに基づいてＩＤカードを発行することを特徴としている。
【発明の効果】
【００２２】
本発明によれば、発行済みのＩＤカードのＩＣメモリに記録されたデータを自動的に検査可能にすることにより、ＩＤカード発行時にエラーが発生した場合、当該ＩＤカードのＩＣメモリに正常にデータが書き込まれたか否かを正確に判断することができる。
【発明を実施するための最良の形態】
【００２３】
以下、添付図面を参照して、本発明の実施形態について詳細に説明する。
まず、本実施形態における構成について説明する。
【００２４】
図１に、本実施形態のＩＤカード発行システム１００の全体構成を示す。ＩＤカード発行システム１００は、図１に示すように、ホストコンピュータ１、発行制御装置２、ＩＤカード発行装置３により構成され、各装置は、通信ネットワークＮを介して相互に接続される。ここで、通信ネットワークＮは、専用線を利用して構築された通信ネットワークであり、ＬＡＮ（Local Area Network）、ＷＡＮ（Wide Area Network）等の回線形態を適用することが可能である。なお、１台のホストコンピュータ１に通信ネットワークＮを介して接続される発行制御装置２の台数、ＩＤカード発行装置３の台数は、特に限定されない。
【００２５】
また、本実施形態において対象となるＩＤカードは、ＩＣメモリを内蔵し、このＩＣメモリに、ＩＤ番号、氏名、住所、所属、有効期限、年齢、性別、顔画像、暗証番号等の種々の個人情報が電子データとして記録されている。また、ＩＤカードの表面には、個人情報（又はその一部）と顔画像等が印字されているものとする。また、ＩＣメモリに記録された情報は、書き換え不可能であるものとする。
【００２６】
ホストコンピュータ１は、ＩＤカードの各申請人（カード保有者）の個人情報を管理するコンピュータであり、ＤＢ（Data Base）１１を備えている。このＤＢ１１には、各申請人（カード保有者）の個人情報として、ＩＤ番号、氏名、住所、所属、有効期限、年齢、性別、暗証番号、顔画像等の電子データが格納されている。
【００２７】
発行制御装置２は、ＩＤカード発行装置３でのＩＤカードの発行を制御するコンピュータであり、ＩＤカード発行装置３に対し、ＩＤカードの発行に必要なデータ（申請人の個人情報等）を送信して、ＩＤカードの発行を指示する。また、この発行制御装置２には撮影部（図示略）が設けられ、この撮影部により申請人の顔画像を撮影し、顔画像データをホストコンピュータ１に送信する。
【００２８】
ＩＤカード発行装置３は、図１に示すように、制御部３１、操作部３２、表示部３３、記憶部３４、ＩＣ Ｒ／Ｗ（リーダライタ）部３５、印字部３６等により構成される。
【００２９】
制御部３１は、ＣＰＵ（Central Processing Unit）、ＲＡＭ（Random Access Memory）、ＲＯＭ（Read Only Memory）等により構成される。ＣＰＵは、ＲＡＭの所定領域を作業領域として、ＲＯＭに記憶されている各種制御プログラムを実行し、ＩＤカード発行装置３を構成する各部の動作を制御する。
【００３０】
この制御部３１は、発行済みのＩＤカードのＩＣメモリに記録されたデータを検査するための検査部３１ａを有する。検査部３１ａは、ＩＤカードの発行時にエラーが生じた場合に、操作部３２によりＩＣメモリの検査モードが指定されると、当該ＩＤカードのＩＣメモリから読み出されたデータに対応するデータ（個人情報）を、記憶部３４又はホストコンピュータ１から取得し、取得されたデータと、ＩＣメモリから読み出されたデータを比較することにより、発行済みのＩＤカードのＩＣメモリに正常にデータが書き込まれたか否かを判断する（図２参照）。
【００３１】
操作部３２は、文字入力キー、テンキー、カーソルキー及び各種機能キーを備えたキー入力装置や、マウス等のポインティングデバイス等を備え、キー入力装置やポインティングデバイスの操作による操作信号を制御部３１に出力する。また、操作部３２がタッチパネルを備える構成としてもよい。この場合、操作部３２のタッチパネルは、表示部３３の表示ディスプレイを覆うように設けられ、電磁誘導式、磁気歪式、感圧式等の座標読み取り原理でタッチ指示された座標を検出し、検出した座標を位置信号として制御部３１に出力する。
【００３２】
表示部３３は、ＬＣＤ（Liquid Crystal Display）、ＣＲＴ（Cathode Ray Tube）等の表示ディスプレイを備え、制御部３１から入力される表示制御信号に従って所要の表示処理を行う。
【００３３】
記憶部３４は、プログラムやデータ等が予め記憶されている記録媒体（図示略）を有する。この記録媒体は、磁気的、光学的記録媒体若しくは半導体メモリで構成されており、ＩＤカードの発行に必要なデータや、ＩＤカードのＩＣメモリから読み取られたデータ等を記憶する。記憶部３４は、ＩＤカードの発行に必要なデータとして、ＩＤカードの発行を申請する各申請人のＩＤ番号、顔画像、個人情報等の各データを対応付けて記憶している。
【００３４】
ＩＣ Ｒ／Ｗ部３５は、制御部３１から入力される制御信号に従って、ＩＤカードに搭載されたＩＣメモリへのデータの書込み、ＩＣメモリからのデータの読み取りを行う。
【００３５】
印字部３６は、制御部３１から入力される印字制御信号に従って、ＩＤカードの表面にカード保有者の個人情報等を印字する。印字済みのＩＤカードは、自動又は手動により供給される。
【００３６】
次に、本実施形態における動作について説明する。
本実施形態の動作として、図２のフローチャートを参照して、ＩＤカード発行装置３において実行されるＩＣメモリ検査処理について説明する。
【００３７】
ＩＤカードの発行時にエラーが発生し、操作部３２によりＩＣメモリの検査モードが指定されると、ＩＣ Ｒ／Ｗ部３５により、ＩＤカードが認識されたか否かが判定される（ステップＳ１）。ステップＳ１において、ＩＤカードが認識されたと判定されると（ステップＳ１；ＹＥＳ）、ＩＣ Ｒ／Ｗ部３５により、当該ＩＤカードのＩＣメモリから個人情報が読み込まれる（ステップＳ２）。
【００３８】
次いで、ステップＳ２で読み込まれた個人情報に対応するデータが記憶部３４から検索され、記憶部３４に該当するデータがあるか否かが判定される（ステップＳ３）。ステップＳ３において、記憶部３４に該当するデータが存在しないと判定された場合（ステップＳ３；ＮＯ）、通信ネットワークＮを介してホストコンピュータ１から、ステップＳ２で読込まれた個人情報に対応するデータが取得される（ステップＳ４）。
【００３９】
ステップＳ３において、記憶部３４に該当するデータが存在すると判定された場合（ステップＳ３；ＹＥＳ）又はホストコンピュータ１から該当するデータが取得された場合、記憶部３４又はホストコンピュータ１から取得されたデータと、ステップＳ２で読み込まれた個人情報が比較され（ステップＳ５）、両者が一致するか否かが判定される（ステップＳ６）。
【００４０】
ステップＳ６において、記憶部３４又はホストコンピュータ１から取得されたデータと、ステップＳ２で読み込まれた個人情報が一致しないと判定された場合（ステップＳ６；ＮＯ）、ＩＤカード発行時にＩＣメモリに正常にデータが書き込まれなかったと判断され、表示部３３に、ステップＳ５の比較結果と、ＩＤカードの再発行の有無を指定するための指定画面が表示される（ステップＳ７）。
【００４１】
ステップＳ７において、操作部３２の操作によりＩＤカードの再発行が指定された場合（ステップＳ７；ＹＥＳ）、記憶部３４又はホストコンピュータ１から取得されたデータを用いてＩＤカードの再発行処理が行われる。ステップＳ７において、ＩＤカードの再発行が指定されなかった場合（ステップＳ７；ＮＯ）、本ＩＣメモリ検査処理が終了する。
【００４２】
ステップＳ６において、記憶部３４又はホストコンピュータ１から取得されたデータと、ステップＳ２で読み込まれた個人情報が一致すると判定された場合（ステップＳ６；ＹＥＳ）、その比較結果が表示され（ステップＳ８）、ＩＤカード発行時にＩＣメモリに正常にデータが書き込まれたと判断され、本ＩＣメモリ検査処理が終了する。
【００４３】
以上のように、本実施形態のＩＤカード発行システム１００によれば、発行済みのＩＤカードのＩＣメモリに記録されたデータを自動的に検査可能にすることにより、ＩＤカード発行時にエラーが発生した場合、当該ＩＤカードのＩＣメモリに正常にデータが書き込まれたか否かを正確に判断することができる。
【００４４】
特に、ＩＤカード発行装置３に、ＩＣメモリに記録されたデータを検査する検査モードを設け、ＩＤカードの発行時に使用するＩＣ Ｒ／Ｗ部３５、操作部３２、表示部３３等を検査モード時にも使用することで、ＩＣ Ｒ／Ｗや、データ確認用のビューワ（viewer）を有するＰＣ（Personal Computer）等を別途設ける必要がなく、コストを軽減させることが可能となる。
【００４５】
上述の実施形態では、ＩＤカード発行装置がＩＣメモリの検査機能を有する場合を示したが、ＩＤカード発行装置に通信ネットワークＮを介して接続された外部装置（データ処理装置）がＩＣメモリの検査機能を有するようにしてもよい。以下、上述のＩＤカード発行システム１００の変形例として、ＩＣカード発行装置以外の装置がＩＣメモリの検査機能を有する場合のＩＤカード発行システムの例を２つ示す。
【００４６】
〈変形例１〉
変形例１では、上記外部装置としてのデータ処理装置が、本来の機能とＩＣメモリの検査機能を兼用している例を示す。図３に、変形例１のＩＤカード発行システム２００の構成を示す。以下では、図１のＩＤカード発行システム１００と同一の構成要素には、同一の符号を付し、その構成説明を省略する。
【００４７】
ＩＤカード発行システム２００は、図３に示すように、ホストコンピュータ１、発行制御装置２０、ＩＤカード発行装置３０により構成され、各装置は、通信ネットワークＮを介して相互に接続される。
【００４８】
発行制御装置２０は、ＩＤカード発行装置３０でのＩＤカードの発行を制御するコンピュータであり、撮影部２１、記憶部２２、操作部２３、表示部２４、制御部２５により構成される。この発行制御装置２０にはＩＣ Ｒ／Ｗ部４が接続されている。
【００４９】
撮影部２１は、ＩＤカードの申請人の顔画像を撮影するものであり、ガラス又はプラスチックからなる光学レンズ及びＣＣＤ（Charge Coupled Device）やＣＭＯＳ（Complementary Metal Oxide Semiconductor）等の光学センサからなり、光学レンズを介して入力される画像を光学センサで電気信号に変換して画像データを生成する。
【００５０】
記憶部２２は、プログラムやデータ等が予め記憶されている記録媒体（図示略）を有する。この記録媒体は、磁気的、光学的記録媒体若しくは半導体メモリで構成されており、ＩＤカードの発行に必要なデータや、ＩＤカードのＩＣメモリから読み取られたデータ等を記憶する。記憶部２２は、ＩＤカードの発行に必要なデータとして、ＩＤカードの発行を申請する各申請人のＩＤ番号、顔画像、個人情報等の各データを対応付けて記憶している。
【００５１】
操作部２３は、文字入力キー、テンキー、カーソルキー及び各種機能キーを備えたキー入力装置や、マウス等のポインティングデバイス等を備え、キー入力装置やポインティングデバイスの操作による操作信号を制御部２５に出力する。また、操作部２３がタッチパネルを備える構成としてもよい。この場合、操作部２３のタッチパネルは、表示部２４の表示ディスプレイを覆うように設けられ、電磁誘導式、磁気歪式、感圧式等の座標読み取り原理でタッチ指示された座標を検出し、検出した座標を位置信号として制御部２５に出力する。
【００５２】
表示部２４は、ＬＣＤ（Liquid Crystal Display）、ＣＲＴ（Cathode Ray Tube）等の表示ディスプレイを備え、制御部２５から入力される表示制御信号に従って所要の表示処理を行う。
【００５３】
制御部２５は、ＣＰＵ、ＲＡＭ、ＲＯＭ等により構成される。ＣＰＵは、ＲＡＭの所定領域を作業領域として、ＲＯＭに記憶されている各種制御プログラムを実行し、発行制御装置２０を構成する各部の動作を制御する。
【００５４】
この制御部２５は、ＩＤカード発行装置３０で発行済みのＩＤカードのＩＣメモリに記録されたデータを検査するための検査部２５ａを有する。検査部２５ａは、図２のＩＣメモリ検査処理と同様に、ＩＤカードの発行時にエラーが生じた場合に、操作部２３によりＩＣメモリの検査モードが指定されると、当該ＩＤカードのＩＣメモリから読み出されたデータに対応するデータ（個人情報）を、記憶部２２又はホストコンピュータ１から取得し、取得されたデータと、ＩＣメモリから読み出されたデータを比較することにより、発行済みのＩＤカードのＩＣメモリに正常にデータが書き込まれたか否かを判断する。
【００５５】
ＩＣ Ｒ／Ｗ部４は、発行制御装置２０から入力される制御信号に従って、ＩＤカードに搭載されたＩＣメモリへのデータの書込み、ＩＣメモリからのデータの読み取りを行う。
【００５６】
ＩＤカード発行装置３０は、ＩＤカード発行装置３０を構成する各部の動作を制御する制御部３７、操作部３２、表示部３３、記憶部３４、ＩＣ Ｒ／Ｗ部３５、印字部３６により構成され、発行制御装置２０の制御のもとでＩＤカードを発行する。
【００５７】
図３に示すＩＤカード発行システム２００の発行制御装置２０のように、撮影機能、ＩＤカードの発行制御機能及びＩＣメモリの検査機能を兼用した装置の場合、ＩＤカード発行装置３０でカード発行作業が行われていないとき（又は数枚程度のカード発行作業をしているとき）や、ＩＤカード発行装置３０と発行制御装置２０が近くに設置されている場合にＩＣメモリの検査を行う際に有効である。
【００５８】
〈変形例２〉
変形例２では、上記外部装置としてのデータ処理装置が、ＩＣメモリの検査専用の装置である例を示す。図４に、変形例２のＩＤカード発行システム３００の構成を示す。以下では、図１のＩＤカード発行システム１００及び図３のＩＤカード発行システム２００と同一の構成要素には同一の符号を付し、その構成説明を省略する。
【００５９】
ＩＤカード発行システム３００は、図４に示すように、ホストコンピュータ１、発行制御装置２、ＩＤカード発行装置３０、検査装置５により構成され、各装置は、通信ネットワークＮを介して相互に接続される。
【００６０】
検査装置５は、ＩＤカード発行装置３０で発行済みのＩＤカードのＩＣメモリに記録されたデータを検査するための装置であり、記憶部５１、操作部５２、表示部５３、制御部５４により構成される。この検査装置５にはＩＣ Ｒ／Ｗ部６が接続されている。
【００６１】
記憶部５１は、プログラムやデータ等が予め記憶されている記録媒体（図示略）を有する。この記録媒体は、磁気的、光学的記録媒体若しくは半導体メモリで構成されており、ＩＤカードの発行に必要なデータや、ＩＤカードのＩＣメモリから読み取られたデータ等を記憶する。記憶部５１は、ＩＤカードの発行に必要なデータとして、ＩＤカードの発行を申請する各申請人のＩＤ番号、顔画像、個人情報等の各データを対応付けて記憶している。
【００６２】
操作部５２は、文字入力キー、テンキー、カーソルキー及び各種機能キーを備えたキー入力装置や、マウス等のポインティングデバイス等を備え、キー入力装置やポインティングデバイスの操作による操作信号を制御部５４に出力する。また、操作部５２がタッチパネルを備える構成としてもよい。この場合、操作部５２のタッチパネルは、表示部５３の表示ディスプレイを覆うように設けられ、電磁誘導式、磁気歪式、感圧式等の座標読み取り原理でタッチ指示された座標を検出し、検出した座標を位置信号として制御部５４に出力する。
【００６３】
表示部５３は、ＬＣＤ（Liquid Crystal Display）、ＣＲＴ（Cathode Ray Tube）等の表示ディスプレイを備え、制御部５４から入力される表示制御信号に従って所要の表示処理を行う。
【００６４】
制御部５４は、ＣＰＵ、ＲＡＭ、ＲＯＭ等により構成される。ＣＰＵは、ＲＡＭの所定領域を作業領域として、ＲＯＭに記憶されている各種制御プログラムを実行し、発行制御装置２０を構成する各部の動作を制御する。
【００６５】
この制御部５４は、ＩＤカード発行装置３０で発行済みのＩＤカードのＩＣメモリに記録されたデータを検査するための検査部５４ａを有する。検査部５４ａは、図２のＩＣメモリ検査処理と同様に、ＩＤカードの発行時にエラーが生じた場合に、操作部５２によりＩＣメモリの検査モードが指定されると、当該ＩＤカードのＩＣメモリから読み出されたデータに対応するデータ（個人情報）を、記憶部５１又はホストコンピュータ１から取得し、取得されたデータと、ＩＣメモリから読み出されたデータを比較することにより、発行済みのＩＤカードのＩＣメモリに正常にデータが書き込まれたか否かを判断する。
【００６６】
ＩＣ Ｒ／Ｗ部６は、検査装置５から入力される制御信号に従って、ＩＤカードに搭載されたＩＣメモリへのデータの書込み、ＩＣメモリからのデータの読み取りを行う。
【００６７】
図４に示すＩＤカード発行システム３００の検査装置５のように、ＩＣメモリの検査専用の装置の場合、ＩＤカード発行装置３０でＩＤカードの大量発行が行われている場合や、ＩＤカード発行装置３０と検査装置５の設置場所が離れている場合にＩＣメモリの検査を行う際に有効である。
【図面の簡単な説明】
【００６８】
【図１】本発明の実施形態に係るＩＤカード発行システムの構成を示す図。
【図２】本実施形態のＩＤカード発行装置において実行されるＩＣメモリ検査処理を示すフローチャート。
【図３】本実施形態の変形例１に係るＩＤカード発行システムの構成を示す図。
【図４】本実施形態の変形例２に係るＩＤカード発行システムの構成を示す図。
【符号の説明】
【００６９】
１  ホストコンピュータ
１１  ＤＢ
２、２０  発行制御装置（データ処理装置）
２１  撮影部
２２  記憶部
２３  操作部
２４  表示部
２５  制御部
２５ａ  検査部
３、３０  ＩＤカード発行装置
３１、３７  制御部
３１ａ  検査部
３２  操作部
３３  表示部
３４  記憶部
３５  ＩＣ Ｒ／Ｗ部
３６  印字部
４、６  ＩＣ Ｒ／Ｗ部
５  検査装置（データ処理装置）
５１  記憶部
５２  操作部
５３  表示部
５４  制御部
５４ａ  検査部
【図１】
2006185245.tif 000003
【図２】
2006185245.tif 000004
【図３】
2006185245.tif 000005
【図４】
2006185245.tif 000006